(57)【要約】      （修正有）【課題】カラオケ演奏装置のＩＤ情報に基づき不正端末か否かの判断を行い、演奏装置の不正使用を防止する。【解決手段】保守端末装置２０には、カラオケ演奏装置に新たに補充する楽曲データと、不正使用が判明したカラオケ演奏装置のＩＤ情報を予め登録しておく。保守端末装置２０に新しい楽曲データをダウンロードする際に、カラオケ演奏装置１０のＩＤ情報が不正端末のＩＤ情報として前記保守端末装置２０に登録されているか否かを照会する。カラオケ演奏装置１０のＩＤ情報が不正端末のＩＤ情報として前記保守端末装置２０に登録されていないときは、計測手段１８の計測値が初期化され、保守端末装置２０から楽曲データのコピーが可能となる。カラオケ演奏装置１０のＩＤ情報が不正使用カラオケ演奏装置のＩＤ情報として登録されているときは、カラオケ演奏装置１０の使用を禁止するため、保守端末装置２０から楽曲データのコピーができなくなる。【選択図】図１
2005128131.tif 000002
【特許請求の範囲】
【請求項１】
通信ネットワークを介して接続されたカラオケホスト装置との通信を制御する第１の通信制御手段と、保守端末装置に接続された際に該保守端末装置との通信を制御する第２の通信制御手段と、楽曲データが蓄積された楽曲データ記憶手段と、リクエスト装置から予約楽曲の登録を受ける登録手段と、前記予約登録された楽曲の楽曲データを前記楽曲データ記憶手段から取り出して演奏する演奏手段と、所定の事象を計測する計測手段とを付帯するとともに、前記計測手段が計測した計測値が所定値に達した後は当該カラオケ演奏装置の使用を禁止するように構成されたカラオケ演奏装置に於いて、
不正使用カラオケ演奏装置のＩＤ情報を前記保守端末装置に登録しておき、当該カラオケ演奏装置に所定のＩＤが付与されてなり、前記第２の通信制御手段が保守端末装置と特定データの通信を行った際に、前記所定のＩＤが前記不正使用カラオケ演奏装置のＩＤ情報に登録されていない場合は前記計測手段の初期化を行い、
また、前記所定のＩＤが前記不正使用カラオケ演奏装置のＩＤ情報に登録されていない場合であって、前記第１の通信制御手段がカラオケホスト装置と特定データの通信を行った際に、前記計測手段の初期化を行うことを特徴とする不正使用防止機能を有したカラオケ演奏装置。
【請求項２】
前記所定の事象が楽曲の演奏時間であり、前記計測値が前記演奏時間の累計である請求項１記載の不正使用防止機能を有したカラオケ演奏装置。
【請求項３】
前記所定の事象が楽曲の演奏回数であり、前記計測値が前記演奏回数の累計である請求項１記載の不正使用防止機能を有したカラオケ演奏装置。
【請求項４】
前記所定の事象が予約楽曲の登録回数であり、前記計測値が前記登録回数の累計である請求項１記載の不正使用防止機能を有したカラオケ演奏装置。
【請求項５】
前記所定の事象がカラオケ演奏装置の使用期間または使用時間であり、前記計測値が前記使用期間または使用時間の累計である請求項１記載の不正使用防止機能を有したカラオケ演奏装置。
【請求項６】
通信ネットワークを介して接続されたカラオケホスト装置との通信を制御する第１の通信制御手段と、保守端末装置に接続された際に該保守端末装置との通信を制御する第２の通信制御手段と、楽曲データが蓄積された楽曲データ記憶手段と、リクエスト装置から予約楽曲の登録を受ける登録手段と、前記予約登録された楽曲の楽曲データを前記楽曲データ記憶手段から取り出して演奏する演奏手段とを付帯したカラオケ演奏装置に於いて、
不正使用カラオケ演奏装置のＩＤ情報を前記保守端末装置に登録しておき、当該カラオケ演奏装置に所定のＩＤが付与されてなり、前記第２の通信制御手段が保守端末装置と特定データの通信を行った際に、前記所定のＩＤが前記不正使用カラオケ演奏装置のＩＤ情報に登録されていた場合、当該カラオケ演奏装置の使用を禁止することを特徴とする不正使用防止機能を有したカラオケ演奏装置。
【発明の詳細な説明】
【技術分野】
【０００１】
本発明はメンテナンス用の保守端末装置を接続して新たな楽曲データ等をダウンロード可能なカラオケ演奏装置に関するものであり、特に、不正使用防止機能を有したカラオケ演奏装置に関するものである。
【背景技術】
【０００２】
現在、著しく普及しているカラオケ演奏装置は、所謂「通信カラオケ」と呼ばれ、装置内に蓄積されている楽曲データの外に、新規の楽曲データをホストコンピュータから通信ネットワークを介してダウンロードするものである。当該カラオケ演奏装置をユーザーが新規に開局（正規の手続きを経て使用開始）する際は、予め出荷時に装置内に蓄積されている楽曲データだけではなく、出荷時以降に製作された新たな楽曲データを補充する必要がある。
【０００３】
販売会社やその代理店等には保守端末装置と称される機械が備えられており、該保守端末装置はホストコンピュータから通信ネットワークを介して随時新たな楽曲データをダウンロードすることができる。そして、ユーザーが新規に開局する際は、開局しようとするカラオケ演奏装置に前記保守端末装置を接続し、該保守端末装置内に蓄積されている新たな楽曲データをユーザーのカラオケ演奏装置にコピーする。
【０００４】
ユーザーが新規に開局した後は、カラオケ演奏装置内に蓄積されている楽曲データの使用と、新規の楽曲データのダウンロードのために、ユーザーはカラオケ演奏装置の販売会社やその代理店等に対して楽曲データの使用料（情報料）を支払っている。また、各演奏装置には使用を禁止するロック機構が設けられている。従って、ユーザーが前述の使用料を未払いの場合には、ホストコンピュータから通信ネットワークを介して演奏装置の使用をロックできるように設定されている。
【０００５】
しかし、演奏装置を通信ネットワークの接続から外せば、ホストコンピュータからロックがかからなくなり、新規楽曲のダウンロードは出来ないものの、演奏装置内に蓄積された楽曲データは無料で使い放題の状態となる。このように、使用料未払いで不正使用される演奏装置は不正端末と称されている。
【０００６】
不正端末が発生する例としては、演奏装置の盗難により不正使用される場合や、新しい装置を購入する際に古い演奏装置を廃棄したものが不正使用される場合がある。また、演奏装置の販売会社の中にはユーザーが新規に開局した月は情報料を無料にするサービスを行うことがあり、同一月内で開局と閉局（使用解約）を繰り返して不正使用される場合もある。更に、販売会社及びその代理店等には、前述したようにメンテナンス用の保守端末装置が備えられており、該保守端末装置が楽曲データをコピーできる機能を有しているため、該保守端末装置によって楽曲データの不正コピーが行われる可能性もある。
【０００７】
このような不正使用を防止するために、カラオケ演奏装置に計測手段を設け、該計測手段により装置の使用回数、使用時間、或いは演奏時間を計測し、夫々の計測値が所定値に達した後は装置の使用を禁止することで不正使用を防止し、通信制御手段が通信を行った際に、特定のデータの通信が終了したことに基づき計測手段の初期化を行って、装置の継続使用を可能にするようにしたカラオケ演奏装置が知られている（例えば、特許文献１参照）。
【０００８】
また、演奏データを記録した楽曲ディスクが搭載可能なカラオケ演奏装置に計測手段を設け、該計測手段により所定の期間や日付、楽曲の演奏時間、楽曲の演奏回数、或いは、楽曲のリクエスト登録回数を計測し、夫々の計測値が所定の設定値に達した後は楽曲の演奏を禁止することで不正使用を防止し、新たなディスクが規定する設定値が設定される毎に計測手段の初期化を行って、装置の継続使用を可能にするようにしたカラオケ演奏装置を本願出願人が現在出願中である。
【特許文献１】特許３１９６１６６号公報
【発明の開示】
【発明が解決しようとする課題】
【０００９】
特許文献１記載の発明は、計測手段により装置の使用回数、使用時間、或いは演奏時間を計測し、夫々の計測値が所定値に達した後は装置の使用を禁止している。しかし、リクエスト装置による予約楽曲の登録回数の計測は行われていないため、不正使用に対する防止対策が完全とはいえない。
【００１０】
これに対して、本願出願人が現在出願中の発明は、楽曲ディスクが搭載可能なカラオケ演奏装置に於いて、所定の期間や日付、楽曲の演奏時間、楽曲の演奏回数、或いは、予約楽曲のリクエスト登録回数を計測し、夫々の計測値が設定値に達した後は楽曲の演奏を禁止することで不正使用を効果的に防止できる。
【００１１】
ここで、一般的にカラオケ演奏装置にはＩＤ情報、例えば機械毎に異なるシリアル番号が付与されている。前述した不正端末については、装置のＩＤ情報が判明しているものもあり、これら不正端末のＩＤ情報をブラックリストにして不正使用か否かの判断基準とすることも可能である。しかし、前述した何れの発明も、カラオケ演奏装置のＩＤ情報に関する記載はまったくない。
【００１２】
そこで、カラオケ演奏装置のＩＤ情報に基づいて不正端末か否かの判断を行うことにより、演奏装置の不正使用を効果的に防止するために解決すべき技術的課題が生じてくるのであり、本発明はこの課題を解決することを目的とする。
【課題を解決するための手段】
【００１３】
本発明は上記目的を達成するために提案されたものであり、請求項１記載の発明は、通信ネットワークを介して接続されたカラオケホスト装置との通信を制御する第１の通信制御手段と、保守端末装置に接続された際に該保守端末装置との通信を制御する第２の通信制御手段と、楽曲データが蓄積された楽曲データ記憶手段と、リクエスト装置から予約楽曲の登録を受ける登録手段と、前記予約登録された楽曲の楽曲データを前記楽曲データ記憶手段から取り出して演奏する演奏手段と、所定の事象を計測する計測手段とを付帯するとともに、前記計測手段が計測した計測値が所定値に達した後は当該カラオケ演奏装置の使用を禁止するように構成されたカラオケ演奏装置に於いて、不正使用カラオケ演奏装置のＩＤ情報を前記保守端末装置に登録しておき、当該カラオケ演奏装置に所定のＩＤが付与されてなり、前記第２の通信制御手段が保守端末装置と特定データの通信を行った際に、前記所定のＩＤが前記不正使用カラオケ演奏装置のＩＤ情報に登録されていない場合は前記計測手段の初期化を行い、また、前記所定のＩＤが前記不正使用カラオケ演奏装置のＩＤ情報に登録されていない場合であって、前記第１の通信制御手段がカラオケホスト装置と特定データの通信を行った際に、前記計測手段の初期化を行う不正使用防止機能を有したカラオケ演奏装置を提供する。
【００１４】
即ち、不正使用が判明したカラオケ演奏装置のＩＤ情報、例えば機械のシリアル番号を予め保守端末装置に登録しておく。ユーザーが新たにカラオケ演奏装置を開局し、当該演奏装置に対して所定のＩＤが付与されると、計測手段が所定の事象を計測する。そして、計測手段の計測値が所定値に達した後は当該演奏装置の使用を禁止する。しかし、前記計測手段の計測値が所定値に達する前に、或いは、所定値に達した後に、前記第２の通信制御手段が保守端末装置と特定データの通信を行った際に、前記所定のＩＤがカラオケホスト装置に登録された不正使用ＩＤではない場合は、前記計測手段の初期化を行って当該カラオケ演奏装置の使用を可能にし、且つ、保守端末装置から楽曲データのコピーを可能にする。
【００１５】
また、保守端末装置と特定データの通信を行った際に、前記所定のＩＤが不正使用ＩＤではない場合であって、前記第１の通信制御手段が新曲データのダウンロードとともにカラオケホスト装置と特定データの通信を行った際に、前記計測手段の初期化を行って、当該カラオケ演奏装置の継続使用を可能にする。
【００１６】
請求項２記載の発明は、前記所定の事象が楽曲の演奏時間であり、前記計測値が前記演奏時間の累計である不正使用防止機能を有したカラオケ演奏装置を提供する。
【００１７】
即ち、前記計測手段はカラオケ演奏装置が演奏した楽曲の演奏時間を計測し、該演奏時間の累計が予め決められた所定時間に達した後は、当該演奏装置の使用を禁止する。
【００１８】
請求項３記載の発明は、前記所定の事象が楽曲の演奏回数であり、前記計測値が前記演奏回数の累計である不正使用防止機能を有したカラオケ演奏装置を提供する。
【００１９】
即ち、前記計測手段はカラオケ演奏装置が演奏した楽曲の演奏回数を計測し、該演奏回数の累計が予め決められた所定回数に達した後は、当該演奏装置の使用を禁止する。
【００２０】
請求項４記載の発明は、前記所定の事象が予約楽曲の登録回数であり、前記計測値が前記登録回数の累計である不正使用防止機能を有したカラオケ演奏装置を提供する。
【００２１】
即ち、前記計測手段はカラオケ演奏装置に予約された楽曲の登録回数を計測し、該登録回数の累計が予め決められた所定回数に達した後は、当該演奏装置の使用を禁止する。
【００２２】
請求項５記載の発明は、前記所定の事象がカラオケ演奏装置の使用期間または使用時間であり、前記計測値が前記使用期間または使用時間の累計である不正使用防止機能を有したカラオケ演奏装置を提供する。
【００２３】
即ち、前記計測手段はカラオケ演奏装置の使用期間または使用時間を計測し、該使用期間または使用時間の累計が予め決められた所定期間または所定時間に達した後は、当該演奏装置の使用を禁止する。
【００２４】
請求項６記載の発明は、通信ネットワークを介して接続されたカラオケホスト装置との通信を制御する第１の通信制御手段と、保守端末装置に接続された際に該保守端末装置との通信を制御する第２の通信制御手段と、楽曲データが蓄積された楽曲データ記憶手段と、リクエスト装置から予約楽曲の登録を受ける登録手段と、前記予約登録された楽曲の楽曲データを前記楽曲データ記憶手段から取り出して演奏する演奏手段とを付帯したカラオケ演奏装置に於いて、不正使用カラオケ演奏装置のＩＤ情報を前記保守端末装置に登録しておき、当該カラオケ演奏装置に所定のＩＤが付与されてなり、前記第２の通信制御手段が保守端末装置と特定データの通信を行った際に、前記所定のＩＤが前記不正使用カラオケ演奏装置のＩＤ情報に登録されていた場合、当該カラオケ演奏装置の使用を禁止する不正使用防止機能を有したカラオケ演奏装置を提供する。
【００２５】
即ち、不正使用が判明したカラオケ演奏装置のＩＤ情報、例えば機械のシリアル番号を予め保守端末装置に登録しておく。ユーザーが新たにカラオケ演奏装置を開局し、当該演奏装置に対して所定のＩＤが付与されると、前記第２の通信制御手段が保守端末装置と特定データの通信を行った際に、前記所定のＩＤがカラオケホスト装置に登録された不正使用ＩＤである場合は、当該カラオケ演奏装置の使用を禁止する。
【発明の効果】
【００２６】
請求項１記載の発明は、当該カラオケ演奏装置が保守端末装置に接続された際に、カラオケ演奏装置の所定のＩＤが不正使用カラオケ演奏装置のＩＤ情報に登録されていない場合は、計測手段の初期化を行ってカラオケ演奏装置の使用を可能にする。そして、不正使用でない正規ユーザーに対しては、通常使用時に於いて、何らかのトラブルによりカラオケホスト装置との通信が不通となった場合や、メンテナンス等により意図的にカラオケホスト装置との接続を遮断したりして、一時的に特定データの通信ができなくなったとしても、前記所定の事象の計測値が所定値に達するまでの期間は通常使用が可能である。従って、その期間中にこれらの処理に対応すればよく、対応後は通常の通信が回復されて特定データの通信ができるようになり、前記計測手段の初期化が行われるため、当該カラオケ演奏装置の使用を中断する等の迷惑を及ぼすことがない。
【００２７】
これに対して、前記保守端末装置に接続された際に、カラオケ演奏装置の所定のＩＤが不正使用カラオケ演奏装置のＩＤ情報に登録されている場合は計測手段の初期化が行われないため、計測手段が所定の事象を計測してその計測値が所定値に達すると当該演奏装置の使用を禁止するので、カラオケ演奏装置の不正使用を防止できる。
【００２８】
また、当該カラオケ演奏装置が保守端末装置に接続された際に、カラオケ演奏装置の所定のＩＤが不正使用カラオケ演奏装置のＩＤ情報に登録されていない場合であっても、悪意にカラオケ演奏装置を通信ネットワークの接続から外して通信が不通になった場合や、当該演奏装置の所定のＩＤが、盗難品や廃棄品の再利用等で不正使用カラオケ演奏装置のＩＤ情報に登録されていた場合は、前記計測手段の初期化は行われないため、計測手段が所定の事象を計測してその計測値が所定値に達すると当該演奏装置の使用を禁止するので、カラオケ演奏装置の不正使用を防止できる。
【００２９】
請求項２記載の発明は、前記所定の事象が楽曲の演奏時間であるので、請求項１記載の発明の効果に加えて、通信ネットワークを介してカラオケホスト装置が当該演奏装置の使用状況を確実に把握できる。
【００３０】
請求項３記載の発明は、前記所定の事象が楽曲の演奏回数であるので、請求項２記載の発明と同様の効果を奏する。
【００３１】
請求項４記載の発明は、前記所定の事象が予約楽曲の登録回数であるので、請求項２記載の発明と同様の効果を奏する。
【００３２】
請求項５記載の発明は、前記所定の事象がカラオケ演奏装置の使用期間または使用時間であるので、請求項２記載の発明と同様の効果を奏する。
【００３３】
請求項６記載の発明は、当該カラオケ演奏装置が保守端末装置に接続された際に、カラオケ演奏装置の所定のＩＤが不正使用カラオケ演奏装置のＩＤ情報に登録されていた場合は、当該カラオケ演奏装置の使用を禁止するため、保守端末装置から楽曲データの不正コピーができなくなり、カラオケ演奏装置だけではなく保守端末装置の不正使用も極めて効果的に防止できる。
【発明を実施するための最良の形態】
【００３４】
以下、本発明のカラオケ演奏装置について、好適な実施例をあげて詳述する。
【実施例１】
【００３５】
先ず、図１乃至図３に従って第１実施例に於けるカラオケ演奏装置について説明する。図１はカラオケ演奏装置１０の構成を示すブロック図であり、該カラオケ演奏装置１０は通信ネットワーク１１を介してカラオケホスト装置１２に接続されている。該カラオケ演奏装置１０は、前記カラオケホスト装置１２との通信を制御する第１の通信制御手段１３と、楽曲データを蓄積する楽曲データ記憶手段１４と、外部のリクエスト装置１５から予約楽曲の登録を受ける登録手段１６と、前記予約登録された楽曲の楽曲データを前記楽曲データ記憶手段１４から取り出して演奏する演奏手段１７と、所定の事象を計測する計測手段１８とを付帯するとともに、これらの各手段を制御するための中央処理手段１９が備えられている。更に、販売会社やその代理店等に備えられている保守端末装置２０と接続された際に、保守端末装置２０との通信を制御する第２の通信制御装置２１が設けられている。
【００３６】
前記保守端末装置２０は、ユーザーが新規に開局しようとするカラオケ演奏装置に新たな楽曲データを補充するために、ホストコンピュータから通信ネットワークを介して随時新たな楽曲データをダウンロードして蓄積してある。前述したように、前記保守端末装置２０は販売会社やその代理店等に備えられており、通常使用時に於いては、当該カラオケ演奏装置１０に保守端末装置２０は接続されていない。
【００３７】
ここで、各カラオケ演奏装置には、例えば機械毎に異なるシリアル番号等、所定のＩＤが付与されており、該所定のＩＤが予め出荷時に適宜な記憶部（図示せず）に記憶されている。カラオケ演奏装置が盗難にあった場合や、新しい演奏装置を購入する際に古い演奏装置を廃棄した場合等、不正使用される虞のあるカラオケ演奏装置のＩＤ情報を販売会社が調査してブラックリストにし、その時点で判明している多数の不正使用カラオケ演奏装置のＩＤ情報を予め前記保守端末装置２０に登録しておく。
【００３８】
当該カラオケ演奏装置１０を新規に開局する際は、前記第２の通信制御手段２１を介して前記保守端末装置２０が当該カラオケ演奏装置１０に接続される。後述するように、前記保守端末装置２０に蓄積された新しい楽曲データをダウンロードする際に、当該カラオケ演奏装置１０のＩＤ情報が不正端末のＩＤ情報として前記保守端末装置２０に登録されているか否かを照会するために、特定データの通信を行うように構成されている。
【００３９】
当該カラオケ演奏装置１０が正規な手続きで開局された後は、前記第１の通信制御手段１３は通信ネットワーク１１を介してカラオケホスト装置１２に接続され、後述するように、第１の通信制御手段１３がカラオケホスト装置１２から楽曲データをダウンロードする際に、計測手段１８が計測した計測値を初期化するために、特定データの通信を行うように構成されている。
【００４０】
前記登録手段１６は、利用者が所望する楽曲をリクエスト装置１５にて特定の楽曲番号が入力されると演奏予約データとして受け入れ、記憶部（図示せず）に演奏予約の待ち行列を作成して楽曲の演奏順番を管理するものであり、その中の楽曲番号が楽曲データ記憶手段１４に蓄積されて演奏可能な楽曲の番号であることを確認した上で、その楽曲番号を待ち行列に登録する。
【００４１】
前記楽曲データ記憶手段１４としては例えばハードディスクドライブを使用し、該楽曲データ記憶手段１４には、予め当該カラオケ演奏装置１０の出荷時に数万曲の楽曲データが蓄積されている。また、当該カラオケ演奏装置１０を新規に開局する際に、前述した保守端末装置２０に接続されて、新たな楽曲データが補充されている。
【００４２】
前記登録手段１６に入力された楽曲データが楽曲データ記憶手段１４に蓄積されていない場合は、中央処理手段１９をはじめとする各手段の制御により、通信ネットワーク１１を介して前記カラオケホスト装置１２との通信により該当する楽曲データがダウンロードされ、ダウンロードされた楽曲データがこの楽曲データ記憶手段１４に新たに蓄積される。尚、楽曲データのダウンロードと同時に、計測手段が計測した計測値を初期化するために特定データの通信を行う。
【００４３】
前記演奏手段１７は、前記登録手段１６に登録された予約楽曲の順番に従って、待ち行列から登録順に楽曲番号を取り出し、楽曲データ記憶手段１４から該当する演奏データを取り出して処理する。登録された楽曲番号に対応する演奏データは、ＭＩＤＩデータやＡＤＰＣＭデータ等で表現される伴奏音楽の起源となる音楽演奏データからなり、この音楽演奏データを音源装置（図示せず）に送信することにより、該当する楽曲の演奏が行われる。
【００４４】
前記計測手段１８は所定の事象を計測し、この計測値が所定値に達した後は、その旨の信号を計測手段１８から中央処理手段１９へ送る。然るときは、該中央処理手段１９の制御によって予約登録の禁止処理、或いは、楽曲の演奏禁止処理が行われる。従って、当該カラオケ演奏装置１０の使用が禁止される。しかし、前記計測手段１８の計測値が所定値に達する前に、或いは、所定値に達した後に、前記通信制御手段１３がカラオケホスト装置１２から楽曲データをダウンロードする等の通信の際に、計測手段１８が計測した計測値を初期化するために特定データの通信を行うので、後述するように、当該カラオケ演奏装置１０のＩＤ情報が不正端末のＩＤ情報として登録されていない場合は、中央処理手段１９の制御により前記所定の事象の計測値が初期化されて、演奏装置の継続使用が可能となる。
【００４５】
前記所定の事象とは、例えば楽曲の演奏時間であり、この場合計測手段１８の計測値とは演奏時間の累計である。前記計測手段１８にはタイマー（図示せず）が組み込まれており、該タイマーは前記演奏手段１７が演奏した楽曲の演奏時間を計測するものであり、前記楽曲データ記憶手段１４には例えば３００時間という楽曲の演奏時間が規定されている。
【００４６】
当該カラオケ演奏装置１０の使用により該タイマーが計測を開始して演奏時間の累計が３００時間に達すると、その旨の信号を計測手段１８から中央処理手段１９へ送り、然るときは、該中央処理手段１９の制御によって予約登録の禁止処理、或いは、楽曲の演奏禁止処理が行われる。そして、前述したように、前記通信制御手段１３が特定データの通信を終了することにより、計測手段１８の計測値即ちタイマーが計測した楽曲の演奏時間が初期化されて０となる。
【００４７】
また、前記所定の事象とは、例えば楽曲の演奏回数であり、この場合計測手段１８の計測値とは演奏回数の累計である。前記計測手段１８にはカウンタ（図示せず）が組み込まれており、該カウンタは前記演奏手段１７が演奏した楽曲の演奏回数を計測するものであり、前記楽曲データ記憶手段１４には例えば５０００回という演奏回数が規定されている。
【００４８】
当該カラオケ演奏装置１０の使用により該カウンタが計測し始めて演奏回数の累計が５０００回に達すると、その旨の信号を計測手段１８から中央処理手段１９へ送り、然るときは、該中央処理手段１９の制御によって予約登録の禁止処理、或いは、楽曲の演奏禁止処理が行われる。そして、前述したように、前記通信制御手段１３が特定データの通信を終了することにより、計測手段１８の計測値即ちカウンタが計測した楽曲の演奏回数が初期化されて０となる。
【００４９】
また、前記所定の事象とは、例えば予約楽曲の登録回数であり、この場合の計測値とは登録回数の累計である。前記計測手段１８には前述のカウンタが組み込まれており、該カウンタは前記登録手段１６に登録された予約楽曲の登録回数を計測するものであり、前記楽曲データ記憶手段１４には例えば６０００回という登録回数が規定されている。
【００５０】
当該カラオケ演奏装置１０の使用により該カウンタが計測し始めて登録回数の累計が６０００回に達すると、その旨の信号を計測手段１８から中央処理手段１９へ送り、然るときは、該中央処理手段１９の制御によって予約登録の禁止処理、或いは、楽曲の演奏禁止処理が行われる。そして、前述したように、前記通信制御手段１３が特定データの通信を終了することにより、計測手段１８の計測値即ちカウンタが計測した予約楽曲の登録回数が初期化されて０となる。
【００５１】
また、前記所定の事象とは、例えば当該カラオケ演奏装置１０の使用期間であり、この場合の計測値とは使用期間の累計である。前記計測手段１８には前述のタイマーが組み込まれており、該タイマーは当該カラオケ演奏装置１０の使用期間を計測するものであり、前記楽曲データ記憶手段１４には例えば５０日間という使用期間が規定されている。
【００５２】
当該カラオケ演奏装置１０の使用により該タイマーが計測し始めて使用期間の累計が５０日間に達すると、その旨の信号を計測手段１８から中央処理手段１９へ送り、然るときは、該中央処理手段１９の制御によって予約登録の禁止処理、或いは、楽曲の演奏禁止処理が行われる。そして、前述したように、前記通信制御手段１３が特定データの通信を終了することにより、計測手段１８の計測値即ちタイマーが計測した使用期間が初期化されて０となる。
【００５３】
尚、前記所定の事象として、当該カラオケ演奏装置１０の使用期間の代りに使用時間を規定してもよい。斯かる場合、前記楽曲データ記憶手段１４に例えば３００時間という使用時間を規定しておき、カラオケ演奏装置１０の使用によりタイマーが計測し始めて使用時間の累計が３００時間に達すると、予約登録の禁止処理、或いは、楽曲の演奏禁止処理が行われる。そして、特定データの通信を終了することにより、タイマーが計測した使用時間が初期化されて０となる。
【００５４】
図２はカラオケ演奏装置１０に保守端末装置２０が接続されたときの制御の一例を示すフローチャートであり、前記第２の通信制御手段２１に保守端末装置２０が接続されると、先ず、保守端末装置２０と特定データの通信を行う（ステップ101）。この特定データの通信とは、当該カラオケ演奏装置１０に付与されている所定のＩＤが不正使用カラオケ演奏装置のＩＤ情報として登録されているか否かを照会するデータと、計測手段１８が計測した計測値を初期化するためのデータである。
【００５５】
特定データの通信が終了し、当該カラオケ演奏装置１０に付与されている所定のＩＤが不正使用カラオケ演奏装置のＩＤ情報として前記保守端末装置２０に登録されていない場合は（ステップ102）、中央処理手段１９の制御により前記所定の事象の計測値が初期化されて当該カラオケ演奏装置１０の使用を可能にし（ステップ103）、保守端末装置２０から楽曲データのコピーを可能にする（ステップ104）。
【００５６】
これに対して、ステップ102に於いて、当該カラオケ演奏装置１０のＩＤ情報が不正使用カラオケ演奏装置のＩＤ情報として登録されていると判定したときは、当該カラオケ演奏装置１０の使用を禁止する（ステップ105）ため、保守端末装置２０から楽曲データのコピーができなくなる。従って、楽曲データの不正コピーを防止するとともに、保守端末装置２０の不正使用も防止できる。
【００５７】
図３はカラオケ演奏装置１０の制御の一例を示すフローチャートであり、先ずカラオケ演奏装置１０が起動して使用が開始されると、利用者は所望する楽曲をリクエスト装置１５にて入力する（ステップ201）。ここで、計測手段１８が計測した所定の事象が所定値に達したか否かを判定する（ステップ202）。この所定の事象とは、前述したように、例えば楽曲の演奏時間であり、或いは、楽曲の演奏回数、予約楽曲の登録回数、カラオケ演奏装置１０の使用期間または使用時間等であり、夫々の累計が所定値に達したか否かを判定する。
【００５８】
計測手段１８が計測した計測値が所定値に達したときは演奏楽曲の予約登録ができなくなり、楽曲の演奏禁止処理が行われて、当該カラオケ演奏装置１０の使用が禁止される。これに対して、前記計測値が所定値未満であるときは、予約楽曲が楽曲データ記憶手段１４に蓄積されているか否かを判定する（ステップ203）。予約楽曲が楽曲データ記憶手段１４に蓄積されているときはステップ207へ進む。
【００５９】
予約楽曲が楽曲データ記憶手段１４に蓄積されていないときはステップ204へ進み、中央処理手段１９をはじめとして第１の通信制御手段１３の制御により、通信ネットワーク１１を介して前記カラオケホスト装置１２から該当する楽曲データがダウンロードされ、ダウンロードされた楽曲データが楽曲データ記憶手段１４に新たに蓄積される。
【００６０】
続いて、カラオケホスト装置１２から特定データをダウンロードする（ステップ205）。この特定データとは、当該カラオケ演奏装置１０に付与されている所定のＩＤが不正使用カラオケ演奏装置のＩＤ情報として登録されているか否かを照会するデータと、計測手段１８が計測した計測値を初期化するためのデータである。即ち、当該カラオケ演奏装置１０が保守端末装置２０に接続されたときだけではなく、通常使用時に於いても、その時点での最新の不正使用ＩＤ情報を得ることができる。
【００６１】
特定データのダウンロードが終了し、当該カラオケ演奏装置１０に付与されている所定のＩＤが前記カラオケホスト装置１２に不正使用カラオケ演奏装置のＩＤ情報として登録されていないと判定したときは（ステップ206）、中央処理手段１９の制御により前記所定の事象の計測値が初期化されて新規の所定値に設定されるので、演奏装置の継続使用が可能となり、ステップ207へ進む。これに対して、当該カラオケ演奏装置１０のＩＤ情報が不正使用カラオケ演奏装置のＩＤ情報として登録されていると判定したときは、予約登録の禁止処理並びに楽曲の演奏禁止処理が行われて、当該カラオケ演奏装置１０の使用が禁止される。
【００６２】
ステップ207では、予約入力された楽曲が正式に登録される。然る後は、前記登録手段１６に登録された予約楽曲の順番に従って、楽曲データ記憶手段１４に蓄積されている演奏データを取り出して、演奏手段１７が演奏処理する（ステップ208）。予約楽曲の演奏が終了すると、その時点で計測手段１８が計測した現在の所定の事象、即ち、前述した楽曲の演奏時間、或いは、楽曲の演奏回数、予約楽曲の登録回数、カラオケ演奏装置１０の使用期間または使用時間等を計測手段１８の計測値に累計する（ステップ209）。
【００６３】
そして、計測値に累計が行われた後は、カラオケ演奏装置２０を終了するか否かを判定し（ステップ210）、カラオケ演奏装置１０の使用を中止しない限り、そのまま演奏楽曲の予約が繰り返し受け付けられる（ステップ201へ戻る）。
【００６４】
図４はカラオケ演奏装置１０の制御の他の一例を示すフローチャートであり、図３に示した制御のフローチャートと異なる箇所は、利用者が楽曲をリクエスト装置１５にて入力すれば（ステップ301）、先ず登録手段１６が楽曲を予約登録し（ステップ302）、その後に、計測手段１８が計測した所定の事象が所定値に達したか否かを判定する（ステップ303）点である。ステップ303以降のフローチャートは、楽曲の予約登録が既に済んでいる点を除いては図３に示した制御と同一の流れである。
【００６５】
即ち、図３に示した制御では、計測手段１８が計測した所定の事象の計測値が所定値に達した後、或いは、当該カラオケ演奏装置１０に付与されている所定のＩＤが前記カラオケホスト装置１２に不正使用カラオケ演奏装置のＩＤ情報として登録されていると判定した後は、何れも予約登録の禁止処理並びに楽曲の演奏禁止処理が行われるのに対して、図４に示した制御では、楽曲の予約登録は常時可能であり、計測手段１８が計測した所定の事象の計測値が所定値に達した後、或いは、当該カラオケ演奏装置１０に付与されている所定のＩＤが前記カラオケホスト装置１２に不正使用カラオケ演奏装置のＩＤ情報として登録されていると判定した後は、楽曲の演奏禁止処理が行われる。
【実施例２】
【００６６】
次に、図５乃至図７に従って第２実施例に於けるカラオケ演奏装置について説明する。図５はカラオケ演奏装置３０の構成を示すブロック図であり、実施例１のカラオケ演奏装置１０と異なる箇所は、必ずしも計測手段が必要ではなく、カラオケ演奏装置３０は通信ネットワーク１１を介してカラオケホスト装置１２に接続されており、該カラオケ演奏装置３０は、前記カラオケホスト装置１２との通信を制御する第１の通信制御手段３３と、外部のリクエスト装置３５から予約楽曲の登録を受ける登録手段３６と、前記予約登録された楽曲を演奏する演奏手段３７とを少なくとも付帯し、前記演奏手段３７にて演奏する楽曲データを蓄積する楽曲データ記憶手段３４と、これらの各手段を制御するための中央処理手段３９が備えられている。更に、前記保守端末装置２０と接続された際に、保守端末装置２０との通信を制御する第２の通信制御装置３１が設けられている。
【００６７】
尚、前記カラオケ演奏装置１０と同様に、当該カラオケ演奏装置３０も新規に開局する際は、前記第２の通信制御手段３１を介して前記保守端末装置２０が当該カラオケ演奏装置３０に接続される。そして、前記保守端末装置２０に蓄積された新しい楽曲データをダウンロードする際に、当該カラオケ演奏装置３０のＩＤ情報が不正端末のＩＤ情報として前記保守端末装置２０に登録されているか否かを照会するために、特定データの通信を行うように構成されている。
【００６８】
当該カラオケ演奏装置３０が正規な手続きで開局された後は、前記第１の通信制御手段３３は通信ネットワーク１１を介してカラオケホスト装置１２に接続され、第１の通信制御手段３３がカラオケホスト装置１２から楽曲データをダウンロードする際に、当該カラオケ演奏装置３０のＩＤ情報が不正端末のＩＤ情報として前記カラオケホスト装置１２に登録されているか否かを照会するために、特定データの通信を行うように構成されている。
【００６９】
以下、楽曲データ記憶手段３４、登録手段３６、演奏手段３７、中央処理手段３９については、夫々が図１に示した第１実施例に於ける楽曲データ記憶手段１４、登録手段１６、演奏手段１７、中央処理手段１９と全く同一の構成であり、その機能及び動作等も全く同様である。
【００７０】
図６はカラオケ演奏装置３０の制御の一例を示すフローチャートであり、先ずカラオケ演奏装置３０が起動して使用が開始されると、利用者は所望する楽曲をリクエスト装置３５にて入力する（ステップ401）。予約楽曲が楽曲データ記憶手段３４に蓄積されているか否かを判定する（ステップ402）。予約楽曲が楽曲データ記憶手段３４に蓄積されているときはステップ406へ進む。
【００７１】
予約楽曲が楽曲データ記憶手段３４に蓄積されていないときはステップ403へ進み、中央処理手段３９をはじめとして第１の通信制御手段３３の制御により、通信ネットワーク１１を介して前記カラオケホスト装置１２から該当する楽曲データがダウンロードされ、ダウンロードされた楽曲データが楽曲データ記憶手段３４に新たに蓄積される。
【００７２】
続いて、カラオケホスト装置１２から特定データをダウンロードする（ステップ404）。この特定データとは、当該カラオケ演奏装置３０に付与されている所定のＩＤが不正使用カラオケ演奏装置のＩＤ情報として登録されているか否かを照会する通信である。第１実施例の場合と異なり、第２実施例では必ずしも計測手段が必要ではないため、計測値を初期化するための通信は不要である。
【００７３】
特定データのダウンロードが終了し、当該カラオケ演奏装置３０に付与されている所定のＩＤが前記カラオケホスト装置１２に不正使用カラオケ演奏装置のＩＤ情報として登録されていないと判定したときは（ステップ405）、中央処理手段３９の制御により前記所定の事象の計測値が初期化されて新規の所定値に設定されるので、演奏装置の継続使用が可能となり、ステップ406へ進む。これに対して、当該カラオケ演奏装置２０のＩＤ情報が不正使用カラオケ演奏装置のＩＤ情報として登録されていると判定したときは、予約登録の禁止処理並びに楽曲の演奏禁止処理が行われて、当該カラオケ演奏装置３０の使用が禁止される。
【００７４】
ステップ406では、予約入力された楽曲が正式に登録される。然る後は、前記登録手段３６に登録された予約楽曲の順番に従って、楽曲データ記憶手段３４に蓄積されている演奏データを取り出して、演奏手段３７が演奏処理する（ステップ407）。予約楽曲の演奏が終了すると、カラオケ演奏装置３０を終了するか否かを判定し（ステップ408）、カラオケ演奏装置３０の使用を中止しない限り、そのまま演奏楽曲の予約が繰り返し受け付けられる（ステップ401へ戻る）。
【００７５】
図７はカラオケ演奏装置３０の制御の他の一例を示すフローチャートであり、図６に示した制御のフローチャートと異なる箇所は、利用者が楽曲をリクエスト装置３５にて入力すれば（ステップ501）、先ず登録手段３６が楽曲を予約登録し（ステップ502）、その後に、予約楽曲が楽曲データ記憶手段３４に蓄積されているか否かを判定する（ステップ503）点である。ステップ503以降のフローチャートは、楽曲の予約登録が既に済んでいる点を除いては図６に示した制御と同一の流れである。
【００７６】
即ち、図６に示した制御では、当該カラオケ演奏装置３０に付与されている所定のＩＤが前記カラオケホスト装置１２に不正使用カラオケ演奏装置のＩＤ情報として登録されていると判定した後は、予約登録の禁止処理並びに楽曲の演奏禁止処理が行われるのに対して、図７に示した制御では、楽曲の予約登録は常時可能であり、当該カラオケ演奏装置３０に付与されている所定のＩＤが前記カラオケホスト装置１２に不正使用カラオケ演奏装置のＩＤ情報として登録されていると判定した後は、直ちに楽曲の演奏禁止処理が行われる。
【００７７】
尚、本発明は、本発明の精神を逸脱しない限り種々の改変を為すことができ、そして、本発明が該改変されたものに及ぶことは当然である。
【図面の簡単な説明】
【００７８】
図は本発明の一実施の形態を示すものである。
【図１】第１実施例に於けるカラオケ演奏装置の構成を示すブロック図。
【図２】第１実施例に於ける保守端末装置の制御の一例を示すフローチャート。
【図３】第１実施例に於けるカラオケ演奏装置の制御の一例を示すフローチャート。
【図４】第１実施例に於けるカラオケ演奏装置の制御の他の一例を示すフローチャート。
【図５】第２実施例に於けるカラオケ演奏装置の構成を示すブロック図。
【図６】第２実施例に於けるカラオケ演奏装置の制御の一例を示すフローチャート。
【図７】第２実施例に於けるカラオケ演奏装置の制御の他の一例を示すフローチャート。
【符号の説明】
【００７９】
１０，３０  カラオケ演奏装置
１１        通信ネットワーク
１２        カラオケホスト装置
１３，３３  第１の通信制御手段
１４，３４  楽曲データ記憶手段
１５，３５  リクエスト装置
１６，３６  登録手段
１７，３７  演奏手段
１８，３８  計測手段
１９，３９  中央処理手段 
２０        保守端末装置
２１，３１  第２の通信制御手段
【図１】
2005128131.tif 000003
【図２】
2005128131.tif 000004
【図３】
2005128131.tif 000005
【図４】
2005128131.tif 000006
【図５】
2005128131.tif 000007
【図６】
2005128131.tif 000008
【図７】
2005128131.tif 000009